(57)【要約】【課題】ドナーから抜去された中空針の針先から血液成分や血液が飛散してしまうのを防止することができる血液成分採取装置を提供する。【解決手段】血液成分採取装置１は、採血・返血ライン２１と、その一端側に接続された中空針２９１とを有する血液成分採取回路２と、血液ポンプ１１と、分岐コネクタ２１ｃと中空針２９１との間の中空針側ライン２１ａの流路を開閉する第３の流路開閉手段５３とを備える。血液成分採取装置１は、最終サイクルの返血工程が終了した後、第３の流路開閉手段５３を閉塞し、血液ポンプ１１を正転させて、第３の流路開閉手段５３により閉塞されている部位から血液ポンプ１１側の採血・返血ライン２１の流路内を陰圧状態にする減圧処理操作を実行し、オペレーターがタッチパネル１９に表示された流路開放スイッチを押すと、第３の流路開閉手段５３を所定時間開放した後、閉塞する流路開放操作を実行する。【選択図】図１
2007020962.tif 000002
【特許請求の範囲】
【請求項１】
ドナーから血液を採取して該血液を分離し、所定の血液成分を採取する血液成分採取装置であって、
ドナーの血管に穿刺される中空針と、前記中空針に連通し、採血および／または返血を行う血液処理ラインと、前記血液処理ラインに連通し、血液を分離する血液分離器と、該血液分離器により分離された所定の血液成分を採取する血液成分採取バッグとを有する血液成分採取回路と、
前記血液処理ラインに設置され、前記血液処理ライン内の血液または血液成分を送液する送液手段と、
前記送液手段と前記中空針との間の前記血液処理ラインの流路を開閉する流路開閉手段と、
前記送液手段および前記流路開閉手段の作動を制御する制御手段とを備え、
前記制御手段は、前記採血または前記返血が終了した後、前記流路開閉手段により前記血液処理ラインの流路を閉塞し、その後、前記送液手段を作動させて、前記血液処理ラインの前記流路開閉手段により閉塞されている部位から前記送液手段側の前記血液処理ラインの流路内を陰圧状態にする減圧処理操作を実行するように構成されていることを特徴とする血液成分採取装置。
【請求項２】
前記血液成分採取回路は、前記血液処理ラインに設けられた分岐部から分岐し、抗凝固剤を注入する抗凝固剤注入ラインを有し、
前記流路開閉手段は、前記分岐部と前記中空針との間の前記血液処理ラインの流路を開閉する請求項１に記載の血液成分採取装置。
【請求項３】
前記制御手段は、前記減圧処理操作の後、前記流路開閉手段により前記血液処理ラインの流路を開放する流路開放操作を実行するように構成されている請求項１または２に記載の血液成分採取装置。
【請求項４】
前記流路開放操作は、前記流路開閉手段により前記血液処理ラインの流路を所定時間開放した後、該血液処理ラインの流路を閉塞するように構成されている請求項３に記載の血液成分採取装置。
【請求項５】
前記流路開閉手段より前記中空針側の前記血液処理ライン内の圧力を検出する圧力検出手段を有し、
前記制御手段は、前記流路開閉手段により前記血液処理ラインの流路が閉塞された後、前記圧力検出手段により圧力の低下を検知した場合に、前記流路開放操作を実行するように構成されている請求項３または４に記載の血液成分採取装置。
【請求項６】
オペレーターの指示の入力を受け付ける入力手段を有し、
前記制御手段は、前記流路開放操作を開始させる旨の指示が前記入力手段に入力された場合には、前記流路開放操作を実行するように構成されている請求項３または４に記載の血液成分採取装置。
【請求項７】
オペレーターの指示の入力を受け付ける入力手段を有し、
前記制御手段は、前記減圧処理操作および前記流路開放操作を開始させる旨の指示が前記入力手段に入力された場合には、前記減圧処理操作を実行し、その後、前記流路開放操作を実行するように構成されている請求項３または４に記載の血液成分採取装置。
【請求項８】
当該血液成分採取装置は、前記ドナーから血液を採取して該血液を分離し、所定の血液成分を採取する血液成分採取工程と、残りの血液成分を前記ドナーに返還する血液成分返還工程とを有する血液成分採取操作を少なくとも１サイクル実行するものであり、
前記制御手段は、最終サイクルの前記血液成分返還工程が終了した後、前記減圧処理操作を実行するように構成されている請求項１ないし６のいずれかに記載の血液成分採取装置。
【発明の詳細な説明】
【技術分野】
【０００１】
本発明は、血液成分採取装置に関するものである。
【背景技術】
【０００２】
採血を行う場合、血液の有効利用およびドナー（供血者）の負担軽減などの理由から、採血血液を遠心分離などにより各血液成分に分離し、輸血者に必要な成分だけを採取し、その他の成分はドナーに返還する成分採血が行われている。
【０００３】
このような成分採血においては、例えば、血漿を採取する場合（血漿製剤を得る場合）、血液成分採取装置を用いて、ドナーから採取した血液を血液成分採取回路に導入し、該血液成分採取回路に設置された遠心ボウルと呼ばれる遠心分離器により、血漿および血球に分離し、そのうちの血漿（所定の血液成分）を血液成分採取バッグに回収して血漿製剤とし、取り残した血漿とともに血球をドナーに返還（返血）することが行われる。すなわち、血漿を採取する場合、血漿を採取する血液成分採取工程と、ドナーへ残りの血液成分（主として血球）を返還する血液成分返還工程（返血工程）とを有する血液成分採取操作が少なくとも１サイクル（通常は、複数サイクル）行われる（例えば、特許文献１参照）。
【０００４】
成分採血が終了、すなわち、最終サイクルの返血工程が終了すると、ドナーの血管に穿刺されている中空針（採血針）が抜去（抜針）される。そして、誤刺等を防止するために、中空針にプロテクタを装着し、プロテクタにより中空針を覆う。
【０００５】
しかしながら、多くのプロテクタは、その先端側が開放しており、従来の血液成分採取装置では、プロテクタが装着された中空針の針先から血液成分（血液）が飛散する恐れがある。この場合、一端側に中空針が設けられている採血・返血ラインの流路の途中をクレンメ等で閉塞したとしても、クレンメから針先までの流路内の血液成分が、中空針の針先から飛散してしまう。このような問題は、成分採血を行なう際に使用される血液成分採取装置に限らず、全血（血液）を採取する際に使用される採血装置でも同様である。
【０００６】
【特許文献１】特開２００１−１７５４０号公報
【発明の開示】
【発明が解決しようとする課題】
【０００７】
本発明の目的は、ドナーから抜去された中空針の針先から血液成分や血液が飛散してしまうのを防止することができる血液成分採取装置を提供することにある。
【課題を解決するための手段】
【０００８】
このような目的は、下記（１）〜（８）の本発明により達成される。また、下記（９）〜（１２）であるのが好ましい。
【０００９】
（１）  ドナーから血液を採取して該血液を分離し、所定の血液成分を採取する血液成分採取装置であって、
ドナーの血管に穿刺される中空針と、前記中空針に連通し、採血および／または返血を行う血液処理ラインと、前記血液処理ラインに連通し、血液を分離する血液分離器と、該血液分離器により分離された所定の血液成分を採取する血液成分採取バッグとを有する血液成分採取回路と、
前記血液処理ラインに設置され、前記血液処理ライン内の血液または血液成分を送液する送液手段と、
前記送液手段と前記中空針との間の前記血液処理ラインの流路を開閉する流路開閉手段と、
前記送液手段および前記流路開閉手段の作動を制御する制御手段とを備え、
前記制御手段は、前記採血または前記返血が終了した後、前記流路開閉手段により前記血液処理ラインの流路を閉塞し、その後、前記送液手段を作動させて、前記血液処理ラインの前記流路開閉手段により閉塞されている部位から前記送液手段側の前記血液処理ラインの流路内を陰圧状態にする減圧処理操作を実行するように構成されていることを特徴とする血液成分採取装置。
【００１０】
（２）  前記血液成分採取回路は、前記血液処理ラインに設けられた分岐部から分岐し、抗凝固剤を注入する抗凝固剤注入ラインを有し、
前記流路開閉手段は、前記分岐部と前記中空針との間の前記血液処理ラインの流路を開閉する上記（１）に記載の血液成分採取装置。
【００１１】
（３）  前記制御手段は、前記減圧処理操作の後、前記流路開閉手段により前記血液処理ラインの流路を開放する流路開放操作を実行するように構成されている上記（１）または（２）に記載の血液成分採取装置。
【００１２】
（４）  前記流路開放操作は、前記流路開閉手段により前記血液処理ラインの流路を所定時間開放した後、該血液処理ラインの流路を閉塞するように構成されている上記（３）に記載の血液成分採取装置。
【００１３】
（５）  前記流路開閉手段より前記中空針側の前記血液処理ライン内の圧力を検出する圧力検出手段を有し、
前記制御手段は、前記流路開閉手段により前記血液処理ラインの流路が閉塞された後、前記圧力検出手段により圧力の低下を検知した場合に、前記流路開放操作を実行するように構成されている上記（３）または（４）に記載の血液成分採取装置。
【００１４】
（６）  オペレーターの指示の入力を受け付ける入力手段を有し、
前記制御手段は、前記流路開放操作を開始させる旨の指示が前記入力手段に入力された場合には、前記流路開放操作を実行するように構成されている上記（３）または（４）に記載の血液成分採取装置。
【００１５】
（７）  オペレーターの指示の入力を受け付ける入力手段を有し、
前記制御手段は、前記減圧処理操作および前記流路開放操作を開始させる旨の指示が前記入力手段に入力された場合には、前記減圧処理操作を実行し、その後、前記流路開放操作を実行するように構成されている上記（３）または（４）に記載の血液成分採取装置。
【００１６】
（８）  当該血液成分採取装置は、前記ドナーから血液を採取して該血液を分離し、所定の血液成分を採取する血液成分採取工程と、残りの血液成分を前記ドナーに返還する血液成分返還工程とを有する血液成分採取操作を少なくとも１サイクル実行するものであり、
前記制御手段は、最終サイクルの前記血液成分返還工程が終了した後、前記減圧処理操作を実行するように構成されている上記（１）ないし（６）のいずれかに記載の血液成分採取装置。
【００１７】
（９）  ドナーから血液を採取する採血装置であって、
ドナーの血管に穿刺される中空針と、前記中空針に連通し、採血を行う血液処理ラインとを有する血液回路と、
前記血液処理ラインに設置され、前記血液処理ライン内の血液を送液する送液手段と、
前記送液手段と前記中空針との間の前記血液処理ラインの流路を開閉する流路開閉手段と、
前記送液手段および前記流路開閉手段の作動を制御する制御手段とを備え、
前記制御手段は、前記採血が終了した後、前記流路開閉手段により前記血液処理ラインの流路を閉塞し、その後、前記送液手段を作動させて、前記血液処理ラインの前記流路開閉手段により閉塞されている部位から前記送液手段側の前記血液処理ラインの流路内を陰圧状態にする減圧処理操作を実行するように構成されていることを特徴とする採血装置。
【００１８】
（１０）  前記制御手段は、前記減圧処理操作の後、前記流路開閉手段により前記血液処理ラインの流路を開放する流路開放操作を実行するように構成されている上記（９）に記載の採血装置。
【００１９】
（１１）  前記流路開放操作は、前記流路開閉手段により前記血液処理ラインの流路を所定時間開放した後、該血液処理ラインの流路を閉塞するように構成されている上記（１０）に記載の採血装置。
【００２０】
（１２）  前記流路開閉手段より前記中空針側の前記血液処理ライン内の圧力を検出する圧力検出手段を有し、
前記制御手段は、前記流路開閉手段により前記血液処理ラインの流路が閉塞された後、前記圧力検出手段により圧力の低下を検知した場合に、前記流路開放操作を実行するように構成されている上記（１０）または（１１）に記載の採血装置。
【発明の効果】
【００２１】
本発明によれば、内部が陰圧状態になっている流路が開放されると、その流路内の血液や血液成分は、送液手段側に向って吸引され、これにより、中空針の針先に位置していた血液や血液成分は、送液手段側に向って流れる（引き込まれる）。そして、この後、血液や血液成分の先端よりも先端側の流路を閉塞することにより、ドナーから抜去された中空針の針先から血液成分や血液が飛散してしまうのを防止することができる。
【発明を実施するための最良の形態】
【００２２】
以下、本発明の血液成分採取装置を添付図面に示す好適な実施形態に基づいて詳細に説明する。
【００２３】
図１は、本発明の血液成分採取装置を、主に血漿を採取する血漿採取装置に適用した場合の第１実施形態を示す平面図（一部にブロック図を含む）、図２は、図１に示す血液成分採取装置が備える遠心分離器に遠心分離器駆動装置が装着された状態の部分破断断面図、図３は、図１に示す血液成分採取装置の作用を説明するためのフローチャートである。
【００２４】
図１に示す血液成分採取装置（血漿採取装置）（採血装置）１は、ドナー（供血者）の血管に穿刺される中空針（採血針）（ドナーから血液を採取する採血手段）２９１と、採取された血液を貯血空間１４６内にて遠心分離する遠心分離器（遠心ボウル）（血液分離器）２０と、遠心分離器２０により分離された血漿（血液成分）を採取する血漿採取バッグ（血液成分採取バッグ）２５とを備える血液成分採取回路（血液回路）２を有し、ドナーから採取した血液を遠心分離し、所定量の血漿を採取した後、残りの血漿とともに白血球、血小板および赤血球（残りの血液成分）をドナーに返還する装置である。
【００２５】
血液成分採取装置１は、中空針２９１と、採血ラインおよび返血ラインの双方として兼用される採血・返血ライン（血液処理ライン）２１と、遠心分離器２０と、遠心分離器２０の流出口１４４に接続された採取バッグ側ライン２２と、採血・返血ライン２１に接続された抗凝固剤注入ライン２３と、採取バッグ側ライン２２の途中に接続され、この採取バッグ側ライン２２を介して遠心分離器２０の流出口１４４に連通するエアーバッグ側ライン２４と、採取バッグ側ライン２２と接続された血漿採取バッグ（血液成分採取バッグ）２５と、血漿採取バッグ２５とチューブ（流路）３２ａにより接続されたサブバッグ３２と、エアーバッグ側ライン２４と接続されたエアーバッグ２６とを備える血液成分採取回路２を有している。
【００２６】
また、血液成分採取装置１は、遠心分離器２０のローター１４２を回転させるための遠心分離器駆動装置１０と、採血・返血ライン２１内の血液または血液成分を送液する血液ポンプ（送液手段）１１と、抗凝固剤注入ライン２３内の抗凝固剤を送液する抗凝固剤ポンプ１２と、血液成分採取回路２の流路の開閉を行うための第１の流路開閉手段５１、第２の流路開閉手段５２および第３の流路開閉手段５３と、遠心分離器駆動装置１０、血液ポンプ１１、抗凝固剤ポンプ１２、第１の流路開閉手段５１、第２の流路開閉手段５２および第３の流路開閉手段５３等を制御するための制御手段５５と、濁度センサ１４と、光学式センサ１５と、重量センサ１６と、第１の気泡センサ１７と、第２の気泡センサ３４と、第３の気泡センサ３５と、第４の気泡センサ３６と、第５の気泡センサ３７と、タッチパネル１９とを備えている。
【００２７】
以下、各部の構成について説明する。
中空針２９１は、採血・返血ライン２１の一端に接続されており、中空針２９１の基端側には、翼２９２が設けられている。図１中では、中空針２９１には、キャップが被せられている。
【００２８】
採血・返血ライン２１は、中空針２９１が一端に接続された中空針側ライン２１ａと、遠心分離器２０の流入口１４３とを接続された遠心分離器側ライン２１ｂと、これらの間に配置されたポンプチューブ２１ｇとを有している。
【００２９】
中空針側ライン２１ａは、気泡およびマイクロアグリゲート除去のためのチャンバー２１ｄを備える。
【００３０】
チャンバー２１ｄには、チューブ（流路）２１ｈを介して通気性かつ菌不透過性のフィルター２１ｉが接続されている。このラインは、中空針側ライン２１ａの内圧、すなわちドナー圧を検出する図示しないドナー圧センサ（ドナー圧検出手段）に接続される。
【００３１】
採取バッグ側ライン２２は、一端が遠心分離器２０の流出口１４４に接続され、他端が血漿採取バッグ２５に接続されている。この採取バッグ側ライン２２の途中には、３つ（３股）に分岐した（接続口は合計４つ）分岐コネクタ６１が設けられており、採取バッグ側ライン２２は、この分岐コネクタ６１を介して接続されている。
【００３２】
分岐コネクタ６１には、チューブ（流路）６２を介して通気性かつ菌不透過性のフィルター６３が接続されている。このラインは、例えば、遠心分離器２０の内圧の検出等に用いることができる。
【００３３】
抗凝固剤注入ライン２３は、その一端が採血・返血ライン２１に設けられた分岐コネクタ２１ｃに接続されている。すなわち、抗凝固剤注入ライン２３（流路）２３は、分岐コネクタ（分岐部）２１ｃから分岐、すなわち、分岐コネクタ２１ｃを介して第１のライン（流路）２１から分岐している。また、分岐コネクタ２１ｃは、中空針２９１の近傍に位置している（設けられている）この抗凝固剤注入ライン２３は、分岐コネクタ２１ｃ側より、ポンプチューブ２３ａ、除菌フィルター（輸液フィルター）６４、気泡除去用チャンバー２３ｃ、抗凝固剤容器接続用針２３ｄを備えている。図１中では、抗凝固剤容器接続用針２３ｄにキャップが被せられている。
【００３４】
エアーバッグ側ライン２４は、分岐コネクタ６１に接続されている。すなわち、エアーバッグ２６は、このエアーバッグ側ライン２４を介して採取バッグ側ライン２２から分岐して設けられている。
【００３５】
血液ポンプ１１、抗凝固剤ポンプ１２は、それぞれ、ポンプチューブ２１ｇ、２３ａを複数のローラーにより押圧閉塞しつつ回転するローターを有するローラーポンプ（チューブポンプ）で構成されている。
【００３６】
採血・返血ライン２１、採取バッグ側ライン２２、抗凝固剤注入ライン２３およびエアーバッグ側ライン２４の形成に使用されるチューブ、各ポンプチューブ２１ｇ、２３ａ、バッグに接続されているチューブ３２ａ、チャンバー２１ｄに接続されているチューブ２１ｈ、分岐コネクタ６１に接続されているチューブ６２の構成材料としては、ポリ塩化ビニルが好ましい。
【００３７】
各チューブがポリ塩化ビニル製であれば、十分な可撓性、柔軟性が得られるので取り扱いがし易く、また、クレンメ等による閉塞にも適するからである。
【００３８】
なお、各ポンプチューブ２１ｇ、２３ａとしては、ローラーポンプにより押圧されても損傷を受けない程度の強度を備えるものが使用されている。
【００３９】
また、上述した分岐コネクタ２１ｃ、分岐コネクタ６１の構成材料についても、前記チューブの構成材料と同様のものを用いることができる。
【００４０】
血漿採取バッグ２５は、血漿を採取するための容器であり、採取バッグ側ライン２２を介して、遠心分離器２０に接続され、これにより、血漿採取バッグ２５の内部は、ローター１４２の貯血空間１４６に連通している。
【００４１】
サブバッグ３２は、チューブ３２ａを介して血漿採取バッグ２５に接続され、それらの内部同士が連通している。このサブバッグ３２は、例えば、血漿保存バッグ等に用いることができる。
【００４２】
エアーバッグ２６は、一時的に空気（エアー）を収納（貯留）するための容器であり、エアーバッグ側ライン２４を介して、分岐コネクタ６１に接続されている。すなわち、エアーバッグ２６は、エアーバッグ側ライン２４、分岐コネクタ６１および採取バッグ側ライン２２を介して、遠心分離器２０に接続され、これにより、エアーバッグ２６の内部は、ローター１４２の貯血空間１４６に連通している。
【００４３】
これらの血漿採取バッグ２５、サブバッグ３２、エアーバッグ２６は、それぞれ、樹脂製の可撓性を有するシート材を重ね、その周縁部を融着（熱融着、高周波融着等）または接着して袋状にしたものが使用される。
【００４４】
血漿採取バッグ２５、サブバッグ３２、エアーバッグ２６に使用される材料としては、例えば、軟質ポリ塩化ビニルが好適に使用される。
【００４５】
血液成分採取回路２に設けられている遠心分離器２０は、通常、遠心ボウルと呼ばれており、遠心力により血液を血漿と血球（血小板、白血球および赤血球）とに分離する。遠心分離器２０としては、図２に示すものが使用される。
【００４６】
第１の流路開閉手段５１は、エアーバッグ側ライン２４の流路の途中を開閉するために設けられている。
【００４７】
第２の流路開閉手段５２は、分岐コネクタ６１より血漿採取バッグ２５側において採取バッグ側ライン２２の流路の途中を開閉するために設けられている。
【００４８】
第３の流路開閉手段５３は、血液ポンプ１１と中空針２９１との間の中空針側ライン２１ａ（採血・返血ライン２１）の流路の途中を開閉するために設けられている。この第３の流路開閉手段５３により開閉される部位は、中空針２９１の近傍に位置するのが好ましく、本実施形態では、分岐コネクタ２１ｃと中空針２９１との間に位置している。
【００４９】
第１の流路開閉手段５１、第２の流路開閉手段５２および第３の流路開閉手段５３は、ラインもしくはチューブの挿入部を備え、挿入部には、例えば、ソレノイド、電動モーター、シリンダ（油圧または空気圧）等の駆動源で作動するクランプを有する。具体的には、ソレノイドで作動する電磁クランプが好適である。
【００５０】
遠心分離器駆動装置１０は、図２に示すように、遠心分離器２０を収納するハウジング２０１と、脚部２０２と、駆動源であるモータ２０３と、遠心分離器２０を保持する円盤状の固定台２０５とで構成されている。ハウジング２０１は、脚部２０２の上部に載置、固定されている。
【００５１】
また、ハウジング２０１の下面には、ボルト２０６によりスペーサー２０７を介してモータ２０３が固定されている。モータ２０３の回転軸２０４の先端部には、固定台２０５が回転軸２０４と同軸でかつ一体的に回転するように嵌入されており、固定台２０５の上部には、ローター１４２の底部が嵌合する凹部が形成されている。
【００５２】
また、遠心分離器２０の上部１４５は、図示しない固定部材により、ハウジング２０１に固定されている。遠心分離器駆動装置１０では、モータ２０３を駆動すると、固定台２０５およびそれに固定されたローター１４２が、あらかじめ設定された所定の遠心条件（例えば、回転数３０００〜６０００ｒｐｍ）で回転する。この遠心条件により、ローター１４２内の血液の分離パターン（例えば、分離する血液成分数）を設定することができる。
【００５３】
なお、ローター１４２において、貯血空間１４６の容積は、例えば、１００〜３５０ｍＬ程度とされる。
【００５４】
ハウジング２０１には、その側部（図２中、左側）に光学式センサ１５が設置されている。
【００５５】
この光学式センサ１５は、貯血空間１４６に向って投光するとともにその反射光を受光するように構成されている。
【００５６】
光学式センサ１５は、投光部１５１から光（例えばレーザー光）を照射（投光）し、ローター１４２の反射面１４７で反射された反射光を受光部１５２で受光する。そして、受光部１５２においてその受光光量に応じた電気信号に変換される。
【００５７】
ここで、光学式センサ１５は、片面に反射面を有し、光路を変更する反射板１５３を有しており、投光部１５１から照射された光は、反射板１５３を介して反射面１４７に照射され、反射面１４７で反射した光は、反射板１５３を介して受光部１５２で受光されるように構成されている。
【００５８】
このとき、投光光および反射光は、それぞれ、貯血空間１４６内の血液成分を透過するが、血液成分の界面（本実施形態では、血漿層１３１と血球層１３２との界面Ｂ）の位置に応じて、投光光および反射光が透過する位置における各血液成分の存在比が異なるため、それらの透過率が変化する。これにより、受光部１５２での受光光量が変動（変化）し、この変動を受光部１５２からの出力電圧の変化として検出することができる。
【００５９】
すなわち、光学式センサ１５は、受光部１５２での受光光量の変化に基づき、血液成分の界面の位置を検出することができる。
【００６０】
ここで、貯血空間１４６内の血漿層１３１と血球層１３２とは、それぞれ、血液成分により色が異なっており、血球層１３２は、赤血球の色に伴い赤色を呈している。このため、光学式センサ１５の精度向上の観点からは、投光光の波長に好適な範囲が存在し、この波長範囲としては、特に限定されないが、例えば、６００〜９００ｎｍ程度であるのが好ましく、７５０〜８００ｎｍ程度であるのがより好ましい。
【００６１】
重量センサ１６は、血漿採取バッグ２５内に採取された血漿の採取量を検出する検出手段を構成する。
【００６２】
濁度センサ１４は、採取バッグ側ライン２２中を流れる流体の濁度を検知するためのものであり、濁度に応じた電圧値を出力する。具体的には、濁度が高い時には低電圧値、濁度が低い時には高電圧値を出力する。
【００６３】
この濁度センサ１４により、例えば、採取バッグ側ライン２２中を流れる血漿中への血球の混入等を検出することができる。
【００６４】
第１の気泡センサ１７は、採血・返血ライン２１内に空気が流れたことを検知するためのものである。すなわち、この第１の気泡センサ１７により、採血・返血ライン２１内の血液の有無が検出される。
【００６５】
第４の気泡センサ３６および第５の気泡センサ３７は、それぞれ、気泡が通過したことを検知するためのものである。これらにより、ドナーに空気が注入されることを防止する。
【００６６】
第２の気泡センサ３４は、抗凝固剤注入ライン２３内が空になったことを検出するため、抗凝固剤注入ライン２３の所定の位置における空気（抗凝固剤の有無）の検出に用いられる。
【００６７】
第３の気泡センサ３５は、遠心分離器２０の貯血空間１４６の流出口１４４と分岐コネクタ６１との間の採取バッグ側ライン２２内に空気や血液（血漿）が流れたことを検知するためのものである。すなわち、この第３の気泡センサ３５により、採取バッグ側ライン２２内の血液の有無が検出される。
【００６８】
より詳細には、前記第１の気泡センサ１７、第２の気泡センサ３４、第３の気泡センサ３５、第４の気泡センサ３６および第５の気泡センサ３７は、それぞれ、チューブの外側から超音波を送受信し、液体と気泡（気体）とで超音波の伝導率が異なるのを利用して、チューブ内の気体および液体（気／液の別、気／液面等）を検出することができる検出手段である。なお、これら各気泡センサ（気体および液体検出手段）としては、上記超音波センサ（超音波式センサ）に限らず、例えば、光学式センサ、赤外線センサ等を用いてもよい。
【００６９】
また、前記濁度センサ１４としては、例えば、超音波センサ、光学式センサ、赤外線センサ等が使用できる。
【００７０】
制御手段５５は、例えば、マイクロコンピューター等で構成されており、遠心分離器駆動装置１０、血液ポンプ１１、抗凝固剤ポンプ１２、第１の流路開閉手段５１、第２の流路開閉手段５２、第３の流路開閉手段５３、濁度センサ１４、光学式センサ１５、重量センサ１６、第１の気泡センサ１７、第２の気泡センサ３４、第３の気泡センサ３５、第４の気泡センサ３６、第５の気泡センサ３７およびタッチパネル１９等と、それぞれ、電気的に接続されている。なお、この制御手段５５は、演算部とメモリー（いずれも図示せず）を内蔵している。
【００７１】
この制御手段５５により、血液ポンプ１１および第３の流路開閉手段５３の作動（駆動）を制御する血液ポンプ１１および第３の流路開閉手段５３の制御手段の主機能が達成される。
【００７２】
タッチパネル１９は、液晶表示パネル、ＥＬ表示パネル等を備えており、オペレーターの指示の入力を受け付ける入力手段（操作手段）としての機能と、各種の情報を表示（報知）する表示手段（報知手段）としての機能とを有するものである。なお、入力手段（例えば、操作ボタン、操作スイッチ、操作ダイヤル等）と、液晶表示パネル、ＥＬ表示パネル等の表示手段（報知手段）とを、別個に設けるようにしてもよい。
【００７３】
濁度センサ１４、光学式センサ１５、重量センサ１６、第１の気泡センサ１７、第２の気泡センサ３４、第３の気泡センサ３５、第４の気泡センサ３６および第５の気泡センサ３７からの検出信号は、それぞれ、制御手段５５へ随時入力される。また、タッチパネル１９からは、タッチパネル１９に入力されたオペレーターの指示内容に応じた信号が制御手段５５へ随時入力される。制御手段５５は、これらからの各信号に基づき、予め設定されたプログラムに従って、血液成分採取装置１の作動、すなわち、血液ポンプ１１、抗凝固剤ポンプ１２の回転、停止、あるいは、回転方向（正転／逆転）を制御するとともに、必要に応じ、各流路開閉手段５１、５２、５３の開閉および遠心分離器駆動装置１０の作動を制御する。
【００７４】
このような制御手段５５は、ドナーから採取された血液を遠心分離器２０（貯血空間１４６）内に流入させ、遠心分離器２０により分離された血漿を血漿採取バッグ２５内に採取（移送）する血漿採取工程（血液成分採取工程）と、遠心分離器２０内に残った主として血球（残りの血液成分）をドナーへ返還（返血）する返血工程（血球返還工程）（血液成分返還工程）とを有する血漿採取操作（血液成分採取操作）を行うように、血液成分採取装置１の作動を制御する。この血漿採取操作は、少なくとも１回（１サイクル）、通常は、複数回（複数サイクル）行われる。
【００７５】
以下、血液成分採取装置１の使用方法および作用について説明する。
まず、オペレーター（操作者）は、第３の流路開閉手段５３を開放した状態で、凝固剤注入ライン２３と中空針側ライン２１ａ（採血・返血ライン２１）の中空針２９１からチャンバー２１ｄまでを、抗凝固剤でプライミングし、その後、中空針２９１をドナーの血管に穿刺する。これにより、血漿の採取準備を完了する。
【００７６】
次に、オペレーターがタッチパネル１９に表示された採取開始スイッチを押す。これにより、制御手段５５によりプログラムが実行され、血漿採取操作が開始される。血漿採取操作では、血液成分採取装置１は、まず、血漿採取工程を行う。
【００７７】
血漿採取工程では、血液ポンプ１１を図１中時計回りに回転（正転）させて、採血を開始する。同時に、第１の流路開閉手段５１を開放し、第２の流路開閉手段５２を閉塞して、採取バッグ側ライン２２およびエアーバッグ側ライン２４を介して、遠心分離器２０の貯血空間１４６内等の血液成分採取回路２内の空気（滅菌空気）を、エアーバッグ２６内に移送し、収納する。
【００７８】
また、前記採血と同時に、抗凝固剤ポンプ１２を図１中反時計回りに回転させて、抗凝固剤注入ライン２３を介して、例えばＡＣＤ−Ａ液のような抗凝固剤を供給し、この抗凝固剤を採血血液中に添加させる。
【００７９】
これにより、血液（抗凝固剤添加血液）は、採血・返血ライン２１を介して移送され、遠心分離器２０の流入口１４３より管体１４１を経てローター１４２の貯血空間１４６内に導入される。
【００８０】
このとき、遠心分離器２０の貯血空間１４６内の空気は、採取バッグ側ライン２２およびエアーバッグ側ライン２４を介して、エアーバッグ２６内に移送され、収納される。
【００８１】
また、前記採血と同時にまたはこれと前後して、遠心分離器駆動装置１０を作動し、ローター１４２を所定の回転数で回転する。このローター１４２の回転により、貯血空間１４６内に導入された血液は、内側から血漿層（ＰＰＰ層）１３１と血球層１３２の２層に分離される。
【００８２】
さらに、前記採血および前記抗凝固剤の供給を継続し、貯血空間１４６の容量を超える抗凝固剤添加血液が貯血空間１４６内に導入されると、貯血空間１４６内は完全に血液により満たされ、遠心分離器２０の流出口１４４から血漿がオーバーフローし、その血漿は、採取バッグ側ライン２２を流れる。
【００８３】
次いで、第３の気泡センサ３５により、遠心分離器２０の貯血空間１４６から流出する血漿が検出されると、貯血空間１４６内の空気のエアーバッグ２６内への収納が完了する。
【００８４】
次いで、第１の流路開閉手段５１を閉塞し、第２の流路開閉手段５２を開放し、採取バッグ側ライン２２を介して、遠心分離器２０の貯血空間１４６内の血漿を、血漿採取バッグ２５内に移送し、採取する。
【００８５】
なお、血漿採取バッグ２５は、その重量が重量センサ１６により計測されており、計測された重量信号は制御手段５５に入力される。
【００８６】
血漿採取を終了する場合は、血液ポンプ１１、抗凝固剤ポンプ１２の作動を停止するとともに、遠心分離器駆動装置１０の作動を停止して、遠心分離器２０のローター１４２の回転を停止する。
【００８７】
以上で、血漿採取工程を終了し、血球返還工程（返血）に移行する。この血球返還工程では、血液成分採取回路２（主に、ローター１４２の貯血空間１４６）内に残った血液成分をドナーへ返還する。具体的には、まず、第１の流路開閉手段５１を開放し、第２の流路開閉手段５２を閉塞し、血液ポンプ１１を図１中反時計回りに回転（逆転）させる。
【００８８】
これにより、ローター１４２の貯血空間１４６内の残りの血液成分は、遠心分離器側ライン２１ｂ、中空針側ライン２１ａおよび中空針２９１を介して、ドナーへ返還される。
【００８９】
次いで、第１の気泡センサ１７によって空気が検出されると、この返血を終了し、次のサイクルの血漿採取操作の血漿採取工程に移行する。
【００９０】
本サイクルが最終サイクルの場合には、第５の気泡センサ３７によって空気が検出されると、返血を終了する。これにより、血液成分採取回路２内の残りの血液成分が、ほぼ全てドナーへ返還され、血漿採取操作を終了する。
【００９１】
この血液成分採取装置１は、ドナーへの残りの血液成分の返還が終了した後、すなわち、最終サイクルの返血工程が終了した後、制御手段５５の制御によって、第３の流路開閉手段５３を閉塞することにより、分岐コネクタ２１ｃと中空針２９１との間の中空針側ライン２１ａ（採血・返血ライン２１）の流路を閉塞し、この後、血液ポンプ１１を作動させて（正転させて）、中空針側ライン２１ａの第３の流路開閉手段５３により閉塞されている部位から血液ポンプ１１側の採血・返血ライン２１の流路内を陰圧状態にする減圧処理操作を実行し、この減圧処理操作の後、第３の流路開閉手段５３により中空針側ライン２１ａの流路を開放する流路開放操作を実行可能なように構成されている。
【００９２】
本実施形態では、オペレーターがタッチパネル１９に表示された流路開放スイッチを押すと、前記流路開放操作を開始させる旨の指示がタッチパネル１９に入力され、これにより、流路開放操作が実行（開始）されるようになっている。このため、オペレーターは、中空針２９１をドナーの血管から抜去（抜針）した後、中空針２９１に図示しないプロテクタを装着し、そのプロテクタにより中空針２９１を覆い、タッチパネル１９に表示された流路開放スイッチを押す。この流路開放操作においては、第３の流路開閉手段５３を所定時間開放することにより、中空針側ライン２１ａの流路を所定時間開放した後、第３の流路開閉手段５３を閉塞することにより、中空針側ライン２１ａの流路を閉塞する。
【００９３】
第３の流路開閉手段５３が開放すると、採血・返血ライン２１の流路内の血液成分は、血液ポンプ１１側に向って吸引され、これにより、中空針２９１の針先に位置していた血液成分は、血液ポンプ１１側に向って流れ（引き込まれ）、中空針側ライン２１ａの第３の流路開閉手段５３により閉塞されている部位よりも血液ポンプ１１側に位置するようになり、この後、第３の流路開閉手段５３が閉塞し、これによって、ドナーから抜去された中空針２９１の針先から血液成分が飛散してしまうのを防止することができる。
【００９４】
ここで、前記減圧処理操作においては、血液ポンプ１１を所定回数正転させる。この血液ポンプ１１を正転させる回数は、特に限定されず、諸条件により適宜設定されるが、１〜１５回程度が好ましく、５〜１０回程度がより好ましい。
【００９５】
また、前記流路開放操作において、第３の流路開閉手段５３を開放しておく時間（期間）は、特に限定されず、諸条件により適宜設定されるが、１〜１０秒程度が好ましく、１〜３秒程度がより好ましい。
【００９６】
なお、本発明では、ドナーへの残りの血液成分の返還が終了した後、すなわち、最終サイクルの返血工程が終了した後、第３の流路開閉手段５３を閉塞することにより、分岐コネクタ２１ｃと中空針２９１との間の中空針側ライン２１ａの流路を閉塞し、オペレーターがタッチパネル１９に表示された減圧・流路開放スイッチを押すと、前記減圧処理操作および前記流路開放操作を開始させる旨の指示がタッチパネル１９に入力され、これにより、減圧処理操作が実行され、この後、流路開放操作が実行されるようになっていてもよい。この場合は、オペレーターが、中空針２９１をドナーの血管から抜去した後、タッチパネル１９に表示された減圧・流路開放スイッチを押すと、血液ポンプ１１が正転して、中空針側ライン２１ａの第３の流路開閉手段５３により閉塞されている部位から血液ポンプ１１側の採血・返血ライン２１の流路内が陰圧状態になり、この後、流路開放操作が実行される。
【００９７】
次に、血液成分採取装置１の作用、すなわち、制御手段５５の制御動作について、図３に示すフローチャートを参照しつつさらに説明する。
【００９８】
図３に示すように、制御手段５５は、まず、最終サイクルの返血工程が終了したか否かを判断する（ステップＳ１０１）。このステップＳ１０１では、第５の気泡センサ３７によって空気が検出されたか否かを判断する。そして、第５の気泡センサ３７によって空気が検出された場合には、最終サイクルの返血工程が終了したと判断し、空気が検出されない場合には、最終サイクルの返血工程が終了していないと判断する。
【００９９】
ステップＳ１０１において最終サイクルの返血工程が終了したと判断した場合には、第３の流路開閉手段５３を閉塞し（ステップＳ１０２）、血液ポンプ１１を所定回数正転させる（ステップＳ１０３）。これにより、中空針側ライン２１ａの第３の流路開閉手段５３により閉塞されている部位から血液ポンプ１１側の採血・返血ライン２１の流路内が陰圧状態となる。
【０１００】
なお、オペレーターは、前述したように、中空針２９１をドナーの血管から抜去した後、中空針２９１に図示しないプロテクタを装着し、そのプロテクタにより中空針２９１を覆い、タッチパネル１９に表示された流路開放スイッチを押す。
【０１０１】
次いで、タッチパネル１９に表示された流路開放スイッチが押されたか否かを判断し（ステップＳ１０４）、押されたと判断した場合には、第３の流路開閉手段５３を所定時間開放した後、第３の流路開閉手段５３を閉塞する（ステップＳ１０５）。これにより、採血・返血ライン２１の流路内の血液成分は、血液ポンプ１１側に向って吸引され、中空針２９１の針先に位置していた血液成分が、血液ポンプ１１側に向って流れ（引き込まれ）、中空針側ライン２１ａの第３の流路開閉手段５３により閉塞されている部位よりも血液ポンプ１１側に位置し、この状態で、第３の流路開閉手段５３が閉塞する。
【０１０２】
以上説明したように、この血液成分採取装置１によれば、ドナーから抜去された中空針２９１の針先から血液成分が飛散してしまうのを防止することができる。
【０１０３】
次に、本発明の血液成分採取装置の第２実施形態について説明する。
図４は、本発明の血液成分採取装置を、主に血漿を採取する血漿採取装置に適用した場合の第２実施形態を示す平面図（一部にブロック図を含む）、図５は、図４に示す血液成分採取装置の作用を説明するためのフローチャートである。
【０１０４】
以下、第２実施形態の血液成分採取装置１について、前述した第１実施形態との相違点を中心に説明し、同様の事項については、その説明を省略する。
【０１０５】
図４に示すように、第２実施形態の血液成分採取装置１では、中空針２９１と第３の流路開閉手段５３との間の中空針側ライン２１ａには、分岐コネクタ２１ｅが設けられている。
【０１０６】
分岐コネクタ２１ｅには、チューブ（流路）７１を介して通気性かつ菌不透過性のフィルター７２が接続されている。このラインは、第３の流路開閉手段５３より中空針２９１側の中空針側ライン２１ａの内力（中空針側ライン２１ａ内の圧力）を検出する圧力センサ（圧力検出手段）１８に接続される。圧力センサ１８は、制御手段５５と電気的に接続されており、圧力センサ１８からの検出信号は、制御手段５５へ随時入力される。
【０１０７】
この血液成分採取装置１は、ドナーへの残りの血液成分の返還が終了した後、すなわち、最終サイクルの返血工程が終了した後、制御手段５５の制御によって、第３の流路開閉手段５３を閉塞することにより、分岐コネクタ２１ｃと中空針２９１との間の中空針側ライン２１ａ（採血・返血ライン２１）の流路を閉塞し、この後、血液ポンプ１１を作動させて（正転させて）、中空針側ライン２１ａの第３の流路開閉手段５３により閉塞されている部位から血液ポンプ１１側の採血・返血ライン２１の流路内を陰圧状態にする減圧処理操作を実行し、この減圧処理操作の後、第３の流路開閉手段５３により中空針側ライン２１ａの流路を開放する流路開放操作を実行可能なように構成されている。
【０１０８】
本実施形態では、第３の流路開閉手段５３により採血・返血ライン２１の流路が閉塞された後、圧力センサ１８により圧力の低下を検知した場合に、前記流路開放操作が実行（開始）されるようになっている。このため、オペレーターの操作は、中空針２９１をドナーの血管から抜去（抜針）した後、中空針２９１に図示しないプロテクタを装着し、そのプロテクタにより中空針２９１を覆うだけでよい。
【０１０９】
この場合、第３の流路開閉手段５３より中空針２９１側の中空針側ライン２１ａ内の圧力は、中空針２９１がドナーの血管に穿刺されている状態では、ドナーの静脈圧により、陽圧になっているが、中空針２９１がドナーの血管から抜去されると、常圧まで低下するので、圧力センサ１８によりこの圧力の低下を検知した場合に、中空針２９１がドナーの血管から抜去されたものと推定（判別）し、流路開放操作を実行する。
【０１１０】
なお、本発明では、ドナーへの残りの血液成分の返還が終了した後、すなわち、最終サイクルの返血工程が終了した後、第３の流路開閉手段５３を閉塞することにより、分岐コネクタ２１ｃと中空針２９１との間の中空針側ライン２１ａの流路を閉塞し、この後、圧力センサ１８により圧力の低下を検知した場合に、減圧処理操作が実行され、この後、流路開放操作が実行されるようになっていてもよい。この場合は、オペレーターが、中空針２９１をドナーの血管から抜去した後、血液ポンプ１１が正転して、中空針側ライン２１ａの第３の流路開閉手段５３により閉塞されている部位から血液ポンプ１１側の採血・返血ライン２１の流路内が陰圧状態になり、この後、流路開放操作が実行される。
【０１１１】
次に、血液成分採取装置１の作用、すなわち、制御手段５５の制御動作について、図５に示すフローチャートを参照しつつさらに説明する。
【０１１２】
図５に示すように、制御手段５５は、まず、最終サイクルの返血工程が終了したか否かを判断する（ステップＳ２０１）。このステップＳ２０１では、第５の気泡センサ３７によって空気が検出されたか否かを判断する。そして、第５の気泡センサ３７によって空気が検出された場合には、最終サイクルの返血工程が終了したと判断し、空気が検出されない場合には、最終サイクルの返血工程が終了していないと判断する。
【０１１３】
ステップＳ２０１において最終サイクルの返血工程が終了したと判断した場合には、第３の流路開閉手段５３を閉塞し（ステップＳ２０２）、血液ポンプ１１を所定回数正転させる（ステップＳ２０３）。これにより、中空針側ライン２１ａの第３の流路開閉手段５３により閉塞されている部位から血液ポンプ１１側の採血・返血ライン２１の流路内が陰圧状態となる。
【０１１４】
なお、オペレーターは、前述したように、中空針２９１をドナーの血管から抜去した後、中空針２９１に図示しないプロテクタを装着し、そのプロテクタにより中空針２９１を覆う。
【０１１５】
次いで、圧力センサ１８により圧力の低下を検知したか否かを判断し（ステップＳ２０４）、圧力の低下を検知したと判断した場合には、第３の流路開閉手段５３を所定時間開放した後、第３の流路開閉手段５３を閉塞する（ステップＳ２０５）。これにより、採血・返血ライン２１の流路内の血液成分は、血液ポンプ１１側に向って吸引され、中空針２９１の針先に位置していた血液成分が、血液ポンプ１１側に向って流れ（引き込まれ）、中空針側ライン２１ａの第３の流路開閉手段５３により閉塞されている部位よりも血液ポンプ１１側に位置し、この状態で、第３の流路開閉手段５３が閉塞する。
この血液成分採取装置１によれば、前述した第１実施形態と同様の効果が得られる。
【０１１６】
そして、この血液成分採取装置１では、中空針２９１がドナーの血管から抜去されたことを検知することができ、それが検知されると、自動的に、流路開放操作が開始されるので、操作が容易であるとともに、オペレーターの誤操作を確実に防止することができる。
【０１１７】
以上、本発明の血液成分採取装置を、図示の実施形態に基づいて説明したが、本発明はこれに限定されるものではなく、各部の構成は、同様の機能を有する任意の構成のものに置換することができる。また、本発明に、他の任意の構成物や、工程が付加されていてもよい。
【０１１８】
また、本発明は、前記各実施形態のうちの、任意の２以上の構成（特徴）を組み合わせたものであってもよい。
【０１１９】
また、本発明は、血漿製剤（または血漿分画製剤の原料血漿）を得るのに適用する場合に限らず、例えば、血液中から、血小板製剤、赤血球製剤、白血球製剤等を得る場合に適用してもよい。すなわち、本発明では、血液成分採取バッグに採取される血液成分は、血漿に限らず、例えば、血小板（血漿を含む血小板）、赤血球（血漿を含む赤血球）、白血球（血漿を含む白血球）等であってもよい。
【０１２０】
また、本発明は、血液成分採取バッグを複数有し、複数の血液成分を採取し得るように構成されていてもよい。
【０１２１】
また、上述した実施形態では、採血ラインおよび返血ラインが一体となったいわゆる間歇式（一針式とも呼ばれる）の血液成分採取装置に本発明を適用した場合について説明したが、本発明は、この方式のものに限らず、例えば、採血ラインと返血ラインとが別個に設けられたいわゆる連続式（二針式または両腕式とも呼ばれる）の血液成分採取装置にも適用することができる。連続式の血液成分採取装置に適用する場合は、前記減圧処理操作や前記流路開閉操作等が、採血ライン側と返血ライン側とのいずれか一方のみでなされるように構成されていてもよいが、採血ライン側および返血ライン側の両方でなされるように構成されているのが好ましい。採血ライン側では、ドナーからの血液の採取が終了した後、前記減圧処理操作が実行され、返血ライン側では、ドナーへの血液成分の返還が終了した後、前記減圧処理操作が実行される。
【０１２２】
また、本発明は、採血を行うのみで返血を行わない血液成分採取装置や採血装置に適用することができる。この具体例としては、例えば、成分採血において、所定の血液成分を採取して、残りの血液成分をドナーに返還しない血液成分採取装置や、全血（血液）を採取する採血装置等が挙げられる。採血を行うのみで返血を行わない血液成分採取装置や採血装置に適用する場合は、ドナーからの血液の採取が終了した後、前記減圧処理操作が実行される。
【０１２３】
また、本発明では、光学式センサは、図示のものに限定されず、例えば、ラインセンサ等であってもよい。
【０１２４】
また、本発明では、血液分離器は、遠心型のものに限定されず、例えば、膜型等のものであってもよい。
【図面の簡単な説明】
【０１２５】
【図１】本発明の血液成分採取装置の第１実施形態を示す平面図（一部にブロック図を含む）である。
【図２】図１に示す血液成分採取装置が備える遠心分離器に遠心分離器駆動装置が装着された状態の部分破断断面図である。
【図３】図１に示す血液成分採取装置の作用を説明するためのフローチャートである。
【図４】本発明の血液成分採取装置の第２実施形態を示す平面図（一部にブロック図を含む）である。
【図５】図４に示す血液成分採取装置の作用を説明するためのフローチャートである。
【符号の説明】
【０１２６】
１              血液成分採取装置
２              血液成分採取回路
１０            遠心分離器駆動装置
１１            血液ポンプ
１２            抗凝固剤ポンプ
１４            濁度センサ
１５            光学式センサ
１５１          投光部
１５２          受光部
１５３          反射板
１６            重量センサ
１７            第１の気泡センサ
１８            圧力センサ
１９            タッチパネル
２０            遠心分離器
２１            採血・返血ライン
２１ａ          中空針側ライン
２１ｂ          遠心分離器側ライン
２１ｃ          分岐コネクタ
２１ｄ          チャンバー
２１ｅ          分岐コネクタ
２１ｇ          ポンプチューブ
２１ｈ          チューブ
２１ｉ          フィルター
２２            採取バッグ側ライン
２３            抗凝固剤注入ライン
２３ａ          ポンプチューブ
２３ｃ          気泡除去用チャンバー
２３ｄ          抗凝固剤溶器接続用針
２４            エアーバッグ側ライン
２５            血漿採取バッグ
２６            エアーバッグ
２９１          中空針
２９２          翼
３２            サブバッグ
３２ａ          チューブ
３４            第２の気泡センサ
３５            第３の気泡センサ
３６            第４の気泡センサ
３７            第５の気泡センサ
５１            第１の流路開閉手段
５２            第２の流路開閉手段
５３            第３の流路開閉手段
５５            制御手段
６１            分岐コネクタ
６２            チューブ
６３            フィルター
６４            除菌フィルター
７１            チューブ
７２            フィルター
１３１          血漿層
１３２          血球層
１４１          管体
１４２          ローター
１４３          流入口
１４４          流出口
１４５          上部
１４６          貯血空間
１４７          反射面
２０１          ハウジング
２０２          脚部
２０３          モータ
２０４          回転軸
２０５          固定台
２０６          ボルト
２０７          スペーサー
Ｓ１０１〜Ｓ１０５  ステップ
Ｓ２０１〜Ｓ２０５  ステップ
【図１】
2007020962.tif 000003
【図２】
2007020962.tif 000004
【図３】
2007020962.tif 000005
【図４】
2007020962.tif 000006
【図５】
2007020962.tif 000007